(57)【要約】【課題】  設置状態に応じた複数の姿勢で取付台に設置する固定型監視カメラでは、複数の取付構造が必要となるため、取付用の部品点数が増加し、本体の質量が重くなるという問題点があった。【解決手段】  レンズに制御基板を取り付けたレンズユニット、このレンズユニットを収納するカメラケース、このカメラケースを前記取付台に固定するための１つの固定金具を備えた固定型監視カメラにおいて、前記カメラケースは、複数個所に設けられ前記固定金具を着脱可能に収納する一群の収納構造を有し、当該一群の収納構造のいずれか１つに収納された前記固定金具を前記取付台と締結することにより、当該取付台に固定されるようにした。【選択図】          図１
2014174469.tif 000002
【特許請求の範囲】
【請求項１】
取付台に固定される固定型監視カメラにおいて、
レンズに制御基板を取り付けたレンズユニット、
このレンズユニットを収納するカメラケース、
このカメラケースを前記取付台に固定するための１つの固定金具
を備え、
前記カメラケースは、複数個所に設けられ前記固定金具を着脱可能に収納する一群の収納構造を有し、当該一群の収納構造のいずれか１つに収納された前記固定金具を前記取付台と締結することにより、当該取付台に固定される
ことを特徴とする固定型監視カメラ。
【請求項２】
取付台に固定される固定型監視カメラにおいて、
レンズに制御基板を取り付けたレンズユニット、
このレンズユニットを収納するカメラケース、
このカメラケースを前記取付台に固定するための１つの固定金具
を備え、
前記カメラケースは、複数個所に設けられた一群の穴を有し、当該一群の穴のいずれか１つを介して前記固定金具を前記取付台と締結することにより、当該取付台に固定される
ことを特徴とする固定型監視カメラ。
【請求項３】
前記カメラケースは、前記一群の穴が設けられた複数個所それぞれに、前記固定金具を着脱可能に収納する一群の収納構造を対応させて有し、当該一群の収納構造のいずれか１つに収納された前記固定金具を、対応する当該穴を介して前記取付台と締結することにより、当該取付台に固定される
ことを特徴とする請求項２に記載の固定型監視カメラ。
【請求項４】
前記カメラケースに取り付けられ、前記レンズユニットを保護するカバーを備え、
前記カバーは、前記カメラケースに取り付けられることにより、前記収納構造に収納された前記固定金具を当該収納構造に固定する突起部を有する
ことを特徴とする請求項１または３に記載の固定型監視カメラ。
【請求項５】
前記固定金具は、つまみ状の突起部を有することを特徴とする請求項１、３、４のいずれかに記載の固定型監視カメラ。
【請求項６】
前記カメラケースは、対向する２平面を有し、
前記収納構造または前記穴、もしくは対応する前記収納構造および前記穴は、前記２平面それぞれに設けられている
ことを特徴とする請求項１乃至５のいずれかに記載の固定型監視カメラ。
【請求項７】
前記カメラケースは、隣り合う２平面を有し、
前記収納構造または前記穴、もしくは対応する前記収納構造および前記穴は、前記２平面それぞれに設けられている
ことを特徴とする請求項１乃至６のいずれかに記載の固定型監視カメラ。
【発明の詳細な説明】
【技術分野】
【０００１】
この発明は、監視カメラに関するものであり、特に固定する取付構造を有する固定型監視カメラに関するものである。
【背景技術】
【０００２】
固定型監視カメラは、様々な場所に設置できる形態であることが求められる。特に、設置する際に多い形態は、床面にカメラの取付台を取り付け、その取付台に据置き状態で監視カメラを設置する形態と、天井にカメラの取付台を取り付け、その取付台に天吊り状態で監視カメラを設置する形態である。この場合、カメラの取付台側には、雄ネジ部が搭載されており、監視カメラ側には、雌ネジ部が搭載されており、互いをネジで締結する構造となっている。
【０００３】
ここで、固定型監視カメラに雌ネジ部が一箇所しかない場合、例えば、固定型監視カメラが床面据置き用雌ネジ部しか備えていない場合は、天井にこの固定型監視カメラを設置すると、床面に設置する場合に対し上下反対に設置されるため、撮像される映像が上下反転した映像になってしまう。
【０００４】
この問題を解決するには、固定型監視カメラを床面に設置する場合と天井に設置する場合とで、固定型監視カメラの向きを同じにする必要がある。そのため、従来の固定型監視カメラは、筐体の上部および下部の両方に固定型監視カメラを固定するためのネジ部を設け、固定型監視カメラを床面に設置する場合と天井に設置する場合とで、筐体上部のネジ部を使用するか、筐体下部のネジ部を使用するか使い分けをし、いずれに設置した場合でも、映像が上下反転しないようにしている（例えば、特許文献１参照）。
【先行技術文献】
【特許文献】
【０００５】
【特許文献１】特許第４４４８０９号公報
【発明の概要】
【発明が解決しようとする課題】
【０００６】
従来の固定型監視カメラは、以上のように構成されているので、筐体上部および筐体下部の両方にネジ部材を設ける必要がある。すなわち、固定型監視カメラとして、ネジ部材が二重に必要となるため、部品点数が多くなり、また部品点数が増えることから、固定型監視カメラの質量が重くなるという問題点があった。
【課題を解決するための手段】
【０００７】
この発明は、上記問題を解決するためになされたものであり、取付台に固定される固定型監視カメラにおいて、レンズに制御基板を取り付けたレンズユニット、このレンズユニットを収納するカメラケース、このカメラケースを前記取付台に固定するための１つの固定金具を備え、前記カメラケースは、複数個所に設けられ前記固定金具を着脱可能に収納する一群の収納構造を有し、当該一群の収納構造のいずれか１つに収納された前記固定金具を前記取付台と締結することにより、当該取付台に固定されるようにしたものである。
【発明の効果】
【０００８】
以上のように、この発明によれば、固定型監視カメラのカメラケースの複数個所に、固定金具を着脱可能に収納する一群の収納構造を設け、当該一群の収納構造のいずれか１つに収納された前記固定金具を取付台と締結することにより、当該固定型監視カメラを前記取付台に固定するように構成したので、１つの固定型監視カメラ設置用固定金具により、固定型監視カメラを設置状態に応じた複数の姿勢で取付台に設置することができる。また、固定型監視カメラ設置用固定金具を複数個所にそれぞれ設けた従来技術に比べて、部品点数を削減できる。
【図面の簡単な説明】
【０００９】
【図１】この発明の実施の形態１による固定型監視カメラの構成を示す分解斜視図である。
【図２】この発明の実施の形態１による固定型監視カメラの取付構造を示す断面図である。
【図３】この発明の実施の形態１による固定型監視カメラの組み立て状態を示した側面図である。
【図４】この発明の実施の形態２による固定型監視カメラの構成を示す分解斜視図である。
【発明を実施するための形態】
【００１０】
実施の形態１．
以下に、本発明の実施の形態１の固定型監視カメラを図１乃至図３に基づいて説明する。図１は、本発明の固定型監視カメラについて、分解した状態を示す分解斜視図である。図２は、本発明の特徴を示す図であり、固定型監視カメラのカバー１を外した状態を示す側面図である。図３は、本発明における固定型監視カメラの組み立てた状態を示す側面図である。
【００１１】
図１乃至図３において、固定型監視カメラは、レンズユニット９を保護するためのカバー１、固定型監視カメラ設置用固定金具３、カメラ上ケース５、カメラ下ケース７、レンズユニット９を含み構成される。カバー１には、リブ形状の突起部２ａ、２ｂが設けられている。カメラ上ケース５およびカメラ下ケース７には、固定型監視カメラ設置用固定金具３を着脱可能に収納する収納構造である収納場所６または８が設けられている。また、レンズユニット9とは、図示しないカメラの制御基板とレンズを搭載したユニットを示している。
【００１２】
固定型監視カメラ設置用固定金具３は、カメラ上ケース５およびカメラ下ケース７にそれぞれ設けられた固定型監視カメラ設置用固定金具３の収納場所６および８のいずれかにも抜き差し可能な構造となっている。例えば、固定型監視カメラ設置用固定金具３が差し込まれたカメラ上ケース５またはカメラ下ケース７を傾けると、容易に収納場所６または８から固定型監視カメラ設置用固定金具３が外れる構造とする。固定型監視カメラ設置用固定金具３は、固定型監視カメラを設置する際に、カメラ上ケース５の収納場所６またはカメラ下ケース７の収納場所８のいずれか一方に取り付けて用いられる。また、固定型監視カメラ設置用固定金具３の材質としては、例えば板金部材が想定され、雌ネジ部４が設けられている。カメラ上ケース５およびカメラ下ケース７には、それぞれ円形の穴１０、１１が前記収納場所６または８に対応して設けられており、固定型監視カメラを据置き状態または天吊り状態に設置する際に、固定型監視カメラの取付台に設けられた雄ネジ部（図示しない）と、固定型監視カメラ設置用固定金具３の雌ネジ部４が、当該穴を介して締結できる構造を有している。
【００１３】
ここで、本発明の固定型監視カメラの組立手順について説明する。固定型監視カメラの組立方法としては、レンズに制御基板を取り付けたレンズユニット９を組立後、レンズユニット９にカメラ上ケース５およびカメラ下ケース７を取り付ける。そして、固定型監視カメラ設置用固定金具３を、カメラ上ケース５およびカメラ下ケース７に設けられた収納場所６および８のいずれかに挿入し、その後にカバー１を取り付ける。
【００１４】
また、本発明の特徴的構造を、図２、図３に基づき説明する。本発明は、カバー１をカメラ上ケース５およびカメラ下ケース７に取り付けた際に、カバー１に設けられたリブ形状の突起部２ａ、２ｂが、収納場所６および８のいずれかに挿入された固定型監視カメラ設置用固定金具３を挿入方向へ押さえて固定する構造を有している。このような構造を有することで、固定型監視カメラ設置用固定金具３が、固定型監視カメラの収納場所６および８から外れて落下することを防ぐことができる。また、上記構造により、カバー１をカメラ上ケース５およびカメラ下ケース７から外すだけで、固定型監視カメラ設置用固定金具３を、カメラ上ケース５に設けられた収納場所６、またはカメラ下ケース７に設けられた収納場所８から、容易に着脱することができる。
【００１５】
次に、本固定型監視カメラがどのように設置されるかを、図３に基づき説明する。例えば、据置き状態で固定型監視カメラを設置する場合は、カメラ下ケース７に設けられた収納場所８に固定型監視カメラ設置用固定金具３を取り付けた状態に組み立てる。そして、固定型監視カメラ設置用固定金具３に設けられた雌ネジ部４と、カメラの取付台に設けられた雄ネジ部とを、穴１１を介して締結し、固定型監視カメラをカメラの取付台に固定する。
【００１６】
一方、天吊り状態で固定型監視カメラを設置する場合は、カメラ上ケース５に設けられた収納場所６に固定型監視カメラ設置用固定金具３を取り付けた状態に組み立てる。そして、固定型監視カメラ設置用固定金具３に設けられた雌ネジ部４と、カメラの取付台に設けられた雄ネジ部とを、穴１０を介して締結し、固定型監視カメラをカメラの取付台に固定する。
【００１７】
上記のように、本発明は、一つの固定型監視カメラ設置用固定金具３を、カメラ上ケース５およびカメラ下ケース７に設けられた収納場所６および８に着脱可能に構成したので、固定型監視カメラ設置用固定金具３を一つ備えるだけで、固定型監視カメラの天吊り状態および据置き状態のいずれにも対応でき、天吊り状態、据置き状態ともに、上下が反転しない正常な画像が得られる。したがって、固定型監視カメラ設置用固定金具を、対応する設置状態の分だけ必要とした従来技術と比較し、部品点数を減らすことができ、その結果、コストダウンや減量化につながる。また、上下反転している画像を正常な画像にするために、電気的な回路を実装する方式を用いる場合に比べ、電気回路の複雑化や、部品点数の増加によるコストアップを防ぐことができる。
【００１８】
なお、本実施の形態１では、固定型監視カメラの設置状態として、据置き状態および天吊り状態を想定しているが、壁面に固定型監視カメラを設置する場合は、カメラ上ケース５およびカメラ下ケース７の側面部に固定型監視カメラ設置用金具３の収納場所および穴を設け、カバー１の側面部にリブ形状の突起部２ａおよび２ｂを設ければよい。このように構成することで、固定型監視カメラの左右側面のいずれ側で壁面設置をする場合にも対応でき、９０°、または−９０°回転しない正常な画像を得ることができる。
また、本実施の形態１では、固定型監視カメラ設置用金具３の収納場所と穴とを対応させて、カメラ上ケース５およびカメラ下ケース７に設けたが、収納場所と穴のいずれか一方を設けることでもよい。収納場所だけを設ける場合は、カメラ上ケース５およびカメラ下ケース７の外側面上に設け穴を不要とする。穴だけを設ける場合には、当該穴を介して固定型監視カメラ設置用金具３と取付台を締結することにより、カメラ上ケース５またはカメラ下ケース７、固定型監視カメラ設置用金具３、および取付台が相互に固定される。
【００１９】
実施の形態２．
以下に、本発明の実施の形態２の固定型監視カメラを図４に基づいて説明する。図４は、本発明の固定型監視カメラについて、分解した状態を示す分解斜視図である。図において、図１と同じ符号の付されたものは、図１と同様の構成である。実施の形態１においては、固定型監視カメラ設置用固定金具３が長方形の形状であったが、本実施の形態２の固定型監視カメラ設置用固定金具１２は、長方形の形状につまみ状の突起部１３を追加した形状としている。
【００２０】
このように、つまみ状の突起部１３を設けた固定型監視カメラ設置用固定金具１２を用いることで、カメラ上ケース５の収納場所６およびカメラ下ケース７の収納場所８に対して、固定型監視カメラ設置用金具１２を、さらに容易に着脱できる効果がある。すなわち、実施の形態１では、例えば、固定型監視カメラ設置用固定金具３が差し込まれたカメラ上ケース５またはカメラ下ケース７を傾けることで、上記収納場所６または８から固定型監視カメラ設置用金具３を容易に外すことができたが、本実施の形態では、傾けることができない状態においても、カバー１だけを外せば、つまみ状の突起部１３を用いることにより、固定型監視カメラ設置用金具１２を、容易に着脱できる。
【００２１】
なお、本実施の形態２では、固定型監視カメラ設置用固定金具１２が、つまみ状の突起部１３を有していることを特徴としているが、このつまみ状の突起部１３は、例えばＬ字型に変更しても、上記と同様な効果が得られる。
【符号の説明】
【００２２】
１  カバー
２ａ，２ｂ  リブ形状の突起部
３  固定型監視カメラ設置用固定金具
４  雌ネジ部
５  カメラ上ケース
６  固定型監視カメラ設置用固定金具の収納場所
７  カメラ下ケース
８  固定型監視カメラ設置用固定金具の収納場所
９  レンズユニット
１０  カメラ上ケースに設けられた穴
１１  カメラ下ケースに設けられた穴
１２  固定型監視カメラ設置用固定金具
１３  つまみ状の突起部
【図１】
2014174469.tif 000003
【図２】
2014174469.tif 000004
【図３】
2014174469.tif 000005
【図４】
2014174469.tif 000006